(57)【特許請求の範囲】
【請求項１】
農業用水路から取水した用水を圃場に供給する給水施設に用いられて、当該用水に混入している異物を除去するための農業用水路用異物除去装置であって、
ハウジング、
前記ハウジングに前記用水を流入させるための流入部、
前記ハウジングの側壁に形成される、かつ前記ハウジングから前記用水を流出させるための流出部、および
前記ハウジングの内部に設けられ、前記ハウジングの内側面との間に前記用水を前記流出部に導出するための通水路を形成する側壁を有するフィルタを備え、
前記通水路が、一定または略一定の間隔を隔てる前記ハウジングの前記内側面と前記フィルタの外側面とによって形成される、農業用水路用異物除去装置。
【請求項２】
前記フィルタの前記側壁は、筒状に形成される、請求項１記載の農業用水路用異物除去装置。
【請求項３】
前記ハウジングには、前記異物を当該ハウジングの外部へ排出するための開口部が形成され、
前記フィルタの側壁には、前記開口部に向けて延びる、かつ当該開口部側の端部が開放されたスリットが形成される、請求項１または２記載の農業用水路用異物除去装置。
【請求項４】
前記開口部には、前記ハウジングの外部から当該開口部を開閉自在に塞ぐ弁体が設けられる、請求項３記載の農業用水路用異物除去装置。
【請求項５】
請求項１ないし４のいずれかに記載の農業用水路用異物除去装置において農業用水路から取水した用水が流入するハウジングの内部に設けられて、当該ハウジングから流出する用水に混入している異物を除去するための農業用水路用異物除去フィルタであって、
前記ハウジングの内側面との間に通水路を形成する側壁、および
前記側壁に形成され、当該側壁の軸方向に延びるかつその一方端が開放されたスリットを備える、農業用水路用異物除去フィルタ。
【発明の詳細な説明】
【技術分野】
【０００１】
この発明は、農業用水路用異物除去装置および農業用水路用異物除去フィルタに関し、特にたとえば、農業用水路から取水した用水を圃場に供給する給水施設に用いられて、当該用水に混入している異物を除去するための農業用水路用異物除去装置および農業用水路用異物除去フィルタに関する。
【背景技術】
【０００２】
従来の農業用水路から取水した用水を圃場に給水する給水施設の一例が、特許文献１に開示されている。この特許文献１の自動給水栓では、農業用水路から自動給水栓に流入した用水は、主給水弁と弁本体の側方に分岐するフロート式自動給水弁とから圃場に供給される。通常時には、主弁体が全閉状態にされており、フロートの上下動に伴って開閉されるフロート式自動給水弁が自動的に給水や止水を繰り返すことによって、圃場内が所定水位に保たれる。また、水田の代掻き時などには、主弁体が全開状態にされることにより、主給水弁とフロート式自動給水弁との両方から用水が圃場に供給される。
【先行技術文献】
【特許文献】
【０００３】
【特許文献１】特開２００６−３１４２４９号公報［Ａ０１Ｇ  ２５／００］
【発明の概要】
【発明が解決しようとする課題】
【０００４】
農業用水路を流れる用水には、草や枝などの異物が混入していることが多く、特許文献１の技術では、用水中の異物による作動不良を防ぐために、フロート式自動給水弁の口径がやや大きく設定されている。しかしながら、特許文献１の技術では、用水に混入している異物を除去するための具体的な対策がなされておらず、当該異物によってフロート式自動給水弁に作動不良が生じているのが現状である。
【０００５】
一方、これを回避するために、弁本体から側方に分岐するフロート式自動給水弁の入口をフィルタによって覆ってしまい、当該入口でフロート式自動給水弁に流れ込む用水に混入している異物を除去することが考えられる。しかしながら、この場合には、フィルタに異物の付着による目詰まりが生じると、フィルタを通過する用水が滞ってしまい、フロート式自動給水弁から圃場に供給する用水量が著しく低下してしまう。
【０００６】
それゆえに、この発明の主たる目的は、新規な、農業用水路用異物除去装置および農業用水路用異物除去フィルタを提供することである。
【０００７】
この発明の他の目的は、用水に混入している異物を除去するとともに、当該供給する用水量の低下を抑制することができる、農業用水路用異物除去装置および農業用水路用異物除去フィルタを提供することである。
【課題を解決するための手段】
【０００８】
本発明は、上記の課題を解決するために、以下の構成を採用した。なお、括弧内の参照符号および捕捉説明などは、本発明の理解を助けるために後述する実施の形態との対応関係を示したものであって、本発明を何ら限定するものではない。
【０００９】
第１の発明は、農業用水路から取水した用水を圃場に供給する給水施設に用いられて、当該用水に混入している異物を除去するための農業用水路用異物除去装置であって、ハウジング、ハウジングに用水を流入させるための流入部、ハウジングの側壁に形成される、かつハウジングから用水を流出させるための流出部、およびハウジングの内部に設けられ、ハウジングの内側面との間に用水を流出部に導出するための通水路を形成する側壁を有するフィルタを備え、通水路が、一定または略一定の間隔を隔てるハウジングの内側面とフィルタの外側面とによって形成される、農業用水路用異物除去装置である。
【００１０】
第１の発明では、農業用水路用異物除去装置（１０）は、農業用水路（１０２）から取水した用水が流入するハウジング（１２）と、当該ハウジングの内部に設けられるフィルタ（２２）とを備え、当該用水に混入している異物を除去する。ハウジングは、たとえば円筒状に形成される側壁（１４）を備えており、その側壁には、当該ハウジング内の用水を外部に流出させるための流出部（１８）が形成される。また、ハウジングのたとえば下端部には、当該ハウジングに用水を流入させるための流入部（１６）が形成される。フィルタは、たとえば円筒状に形成される側壁（２４）を備えており、ハウジングの内側面とフィルタの外側面との間には、用水を流出部に導出するための通水路（Ｆ）が形成される。このような農業用水路用異物除去装置では、流入部から流入した用水は、フィルタを内側から外側に通り抜けて流出部に導出される。このため、その用水中に混入している異物は、フィルタを通過することができずにフィルタの内側に留まり、異物が除去された用水のみがフィルタを通り抜けて流出部に導出される。そして、フィルタに捕捉された異物の量が徐々に増加して、当該フィルタの流出部側が異物で目詰まりしても、フィルタにおける異物で目詰まりしていない部位を通り抜けた用水が、通水路を通って、流出部に導出される。
【００１１】
第１の発明によれば、用水に混入している異物を除去することができる。また、フィルタにおける流出部側が異物で目詰まりしても、流出部からハウジングの外部に流出する用水量が低下しない。
【００１５】
第２の発明は、第１の発明に従属し、フィルタの側壁は、筒状に形成される。
【００１６】
第２の発明では、フィルタ（２２）の側壁（２４）は、筒状に形成される。実施例では、フィルタの側壁は、ハウジング（１２）の側壁（１４）の内径よりも小さい外径を有する円筒状に形成される。このため、用水は、フィルタにおける流出部（１８）側が異物で目詰まりしても、当該フィルタにおいて流出部の反対側に位置している可及的目詰まりしにくい部位からフィルタを通り抜けることができる。
【００１７】
第３の発明は、第１または２の発明に従属し、ハウジングには、異物を当該ハウジングの外部へ排出するための開口部が形成され、フィルタの側壁には、流入部から開口部に向けて延びる、かつ当該開口部側の端部が開放されたスリットが形成される。
【００１８】
第３の発明では、ハウジング（１２）には、異物を当該ハウジングの外部へ排出するための開口部（２０）が設けられる。また、フィルタ（２２）の側壁（２４）には、たとえ
ば、その全周に亘って、周方向に間隔を隔てて並ぶ複数のスリット（２８）が形成される。スリットは、ハウジングにおける流入部から開口部に向かう方向に延び、その開口部側の端部が開放されている。
【００１９】
第３の発明によれば、フィルタの内側に留まっている異物を開口部からハウジングの外部に容易に排出することができる。
【００２０】
第４の発明は、第３の発明に従属し、開口部には、ハウジングの外部から当該開口部を開閉自在に塞ぐ弁体が設けられる。
【００２１】
第４の発明では、開口部（２０）は、弁座（１１６）に形成されており、弁体（１２６）によってハウジング（１２）の外部から開閉自在である。このため、開口部を開放すると、流入部（１６）からハウジング（１２）内に流入した用水が、流出部（１８）のみならず、開口部にも導出される。
【００２２】
第４の発明によれば、開口部に導出される用水によって、フィルタの内側に留まっている異物をハウジングの外部に掃流することができる。
【００２３】
第５の発明は、第１ないし４のいずれかの発明の農業用水路用異物除去装置において農業用水路から取水した用水が流入するハウジングの内部に設けられて、当該ハウジングから流出する用水に混入している異物を除去するための農業用水路用異物除去フィルタであって、ハウジングの内側面との間に通水路を形成する側壁、および側壁に形成され、当該側壁の軸方向に延びるかつその一方端が開放されたスリットを備える、農業用水路用異物除去フィルタである。
【００２４】
第５の発明では、フィルタ（２２）は、農業用水路（１０２）から取水した用水が流入するハウジング（１２）の内部に設けられて、当該ハウジングから流出する用水に混入している異物を除去する。フィルタは、たとえば円筒状に形成される側壁（２４）を備えており、ハウジングの内側面とフィルタの外側面との間には、用水を流出部に導出するための通水路（Ｆ）が形成される。また、フィルタの側壁には、たとえば、その全周に亘って、周方向に間隔を隔てて並ぶ複数のスリット（２８）が形成される。スリットは、フィルタの側壁の軸方向に延び、その一方端が開放されている。実施例では、スリットは、ハウジングにおける流入部（１６）から開口部（２０）に向かう方向に延び、当該開口部側の端部が開放されている。
【発明の効果】
【００２５】
この発明によれば、用水に混入している異物を除去することができる。また、フィルタにおける流出部側が異物で目詰まりしても、当該フィルタにおける異物で目詰まりしていない部位を通り抜けた用水が通水路を通って流出部に導出されるため、流出部から流出する用水量が低下しない。
【００２６】
この発明の上述の目的，その他の目的，特徴および利点は、図面を参照して行う以下の実施例の詳細な説明から一層明らかとなろう。
【図面の簡単な説明】
【００２７】
【図１】この発明の一実施例の農業用水用異物除去装置を用いる地下灌漑用給水施設を示す図解図である。
【図２】図１の給水バルブを示す断面図である。
【図３】図２の給水バルブの開口部を開放している状態を示す断面図である。
【図４】図２のフィルタを示す斜視図である。
【図５】図２の給水バルブにおける用水の流路を示す図解図である。
【図６】図２の給水バルブにおける用水の流路を示す図解図である。
【図７】図３の給水バルブにおける用水の流路を示す図解図である。
【図８】この発明の別の実施例の農業用水用異物除去装置のフィルタを示す斜視図である。
【図９】この発明のさらに別の実施例の農業用水用異物除去装置のフィルタを示す斜視図である。
【図１０】図９の農業用水用異物除去装置を給水バルブに設けた様子を示す断面図である。
【図１１】この発明のさらに別の実施例の農業用水用異物除去装置のフィルタを示す斜視図である。
【図１２】この発明のさらに別の実施例の農業用水用異物除去装置のフィルタを示す斜視図である。
【図１３】図１２の農業用水用異物除去装置を給水バルブに設けた様子を示す断面図である。
【図１４】この発明のさらに別の実施例の農業用水用異物除去装置のフィルタを示す斜視図である。
【図１５】図１４の農業用水用異物除去装置を給水バルブに設けた様子を示す断面図である。
【図１６】この発明のさらに別の実施例の農業用水用異物除去装置のフィルタを示す斜視図である。
【図１７】図１６の農業用水用異物除去装置を給水バルブに設けた様子を示す断面図である。
【図１８】この発明のさらに別の実施例の農業用水用異物除去装置のフィルタを示す図解図である。
【図１９】この発明のさらに別の実施例の農業用水用異物除去装置のフィルタを示す図解図である。
【図２０】この発明のさらに別の実施例の農業用水用異物除去装置のフィルタを示す図解図である。
【図２１】図２０のフィルタにおける用水の流路を示す図解図である。
【図２２】この発明のさらに別の実施例の農業用水用異物除去装置のフィルタを示す斜視図である。
【図２３】図２２のフィルタを示す上面図である。
【図２４】図２２のフィルタをハウジング内に固定した様子を示す図解図である。
【図２５】図２２の農業用水用異物除去装置を給水バルブに設けた様子を示す断面図である。
【図２６】この発明のさらに別の実施例の農業用水用異物除去装置のフィルタを示す斜視図である。
【図２７】図２６のフィルタを示す上面図である。
【図２８】図２２の農業用水用異物除去装置を給水バルブに設けた様子を示す断面図である。
【発明を実施するための形態】
【００２８】
図１を参照して、この発明の一実施例である農業用水路用異物除去装置（以下、単に「異物除去装置」という。）１０は、ハウジング１２と、当該ハウジング１２の内部に設けられるフィルタ２２とを備えており、農業用水路１０２から取水した用水を圃場に供給するための給水施設に用いられて、当該用水に混入している異物を除去する。ただし、この実施例における「異物」とは、用水内に混入しているゴミのみならず、当該用水中に混入している草や枝や小石、または当該用水内に生息する水生生物等を含む。
【００２９】
図１に示すように、この実施例では、異物除去装置１０は、農業用水路１０２から取水した用水を地中に埋設した有孔管１０４に供給するための地下灌漑用給水施設１００の給水バルブ１０６に適用されて、当該給水バルブ１０６から出水管１１４を介して有孔管１０４に供給される用水に混入している異物を除去するが、これに限定される必要はない。
【００３０】
図２に示すように、給水バルブ１０６は、円筒形状を有する本体１０８を含み、この実施例では、当該本体１０８と後述する弁座１１６とによって区切られる給水バルブ１０６の下部領域Ｌがハウジング１２として機能し、下部領域Ｌにおける本体１０８がハウジング１２における側壁（以下、説明の都合上、「第１側壁」という。）１４となる。
【００３１】
本体１０８は、ポリ塩化ビニルなどの合成樹脂からなり、その下端部が鉛直下方向に向けて開口する。本体１０８の下端開口１０８ａは、本体１０８の内周面から段差状に拡径した受口形状を有しており、そこに農業用水路１０２から取水した用水を給水バルブ１０６内に導出する取水管１１０が接続される。すなわち、本体１０８の下端開口１０８ａは、農業用水路１０２から取水した用水をハウジング１２内に流入させるための流入部１６として機能する。
【００３２】
また、本体１０８の下端開口１０８ａよりも上部には、第１通水孔１１２が設けられる。第１通水孔１１２は、本体１０８を厚み方向に貫通する孔であり、その径はたとえば３２ｍｍである。第１通水孔１１２には、出水管１１４が接続されており、流出部１８からハウジング１２の外部に流出した用水が出水管１１４および水位調節器（図示せず）を介して有孔管１０４に供給され、そして当該有孔管１０４から圃場に供給される。すなわち、第１通水孔１１２は、ハウジング１２の第１側壁１４に形成されており、当該ハウジング１２内の用水を外部に流出させるための流出部１８として機能する。
【００３３】
本体１０８における第１通水孔１１２よりも上部には、給水バルブ１０６の上部領域Ｈと下部領域Ｌとを区切る弁座１１６が一体的に形成される。また、弁座１１６の略中央部には、上部領域Ｈと下部領域Ｌとを連通する第２通水孔１１８が形成されている。第２通水孔１１８は、第１通水孔１１２よりも大きいサイズの径を有しており、その径はたとえば７５ｍｍである。
【００３４】
図２および図３に示すように、第２通水孔１１８は、後述する弁体１２６によって開閉自在であり、フィルタ２２に溜まった異物をハウジング１２の外部に排出するための開口部２０として機能する。また、本体１０８における弁座１１６よりも上部には、その全周に亘って、厚み方向に貫通する複数の出水窓１２０が周方向に間隔を隔てて形成されており、第２通水孔１１８から上部領域Ｈに流出した用水は、当該出水窓１２０を介して給水バルブ１０６の外部に流出する。
【００３５】
図２に戻って、本体１０８の上端は、鉛直上方向に向けて開口しており、その上端開口１０８ｂに軸受１２２が設けられる。軸受１２２は、本体１０８の外径と略等しい径を有する円盤状に形成され、その略中央部には、弁軸１２４が螺合されている。
【００３６】
弁軸１２４の下端には、弁体１２６が設けられる。弁体１２６は、第２通水孔１１８を封止可能な円板状に形成される。また、弁軸１２４の上端には、ハンドル１２８が設けられており、ハンドル１２８を回すことによって、弁軸１２４と軸受１２２とが螺合して、弁体１２６が本体１０８の軸線方向に上下移動する。なお、弁体１２６と弁座１１６とが隙間無く当接できるように、弁体１２６の下面や弁座１１６の上面にエチレンプロピレンゴム等の弾性材を設けると好適である。
【００３７】
上述したように、ハウジング１２の内部には、フィルタ２２が設けられる。
【００３８】
図２および図４に示すように、フィルタ２２は、ステンレスなどの金属からなる側壁（以下、説明の都合上、「第２側壁」という。）２４を含む。第２側壁２４は、ハウジング１２の第１側壁１４と同軸方向に延びる、かつ当該第１側壁１４の内径よりも小さい外径を有する円筒状に形成される。たとえば、第２側壁２４の長さは４０ｍｍであり、その外径は８５ｍｍである。このため、ハウジング１２の第１側壁１４の内面すなわち内側面とフィルタ２２の第２側壁２４の外面すなわち外側面とは、一定の間隔を隔てており、詳細は後述するが、ハウジング１２の内側面とフィルタ２２の外側面との間には、用水を流出部１８に導出するための通水路Ｆが形成される。
【００３９】
第２側壁２４の下端部には、その全周に亘り、径方向の外側に突出する係止部２６が形成される。係止部２６は、異物が混入している用水がフィルタ２２を通過せずに通水路Ｆに浸入することを妨げる、かつハウジング１２内でのフィルタ２２の位置を固定する部位であり、その周縁が上述した本体１０８の下端開口１０８ａと取水管１１０との間に挟み込まれる。
【００４０】
また、第２側壁２４には、その全周に亘って、周方向に間隔を隔てて並ぶ複数のスリット２８が形成される。スリット２８は、第２側壁２４の軸方向に延びる短冊状に形成され、その上端が開放されている。換言すると、スリット２８は、給水バルブ１０６における流入部１６から開口部２０に向かう方向に延び、その開口部２０側の端部が開放されている。
【００４１】
図５および図６を参照して、このような異物除去装置１０では、農業用水路１０２から取水した用水が、流入部１６からハウジング１２の内部に流入し、流出部１８から当該ハウジングの外部に流出する。
【００４２】
図５に示すように、流入部１６から流入した用水は、フィルタ２２の内側から外側にスリット２８を通り抜けて流出部１８に導出される。このため、流入部１６から流入した用水に異物が混入していたとき、その用水中に混入している異物は、スリット２８を通過することができずにフィルタ２２の内側に留まり、異物が除去された用水のみが、スリット２８を通り抜けて流出部１８に導出される。
【００４３】
そして、フィルタ２２に捕捉された異物の量が徐々に増加すると、やがて、流出部１６側に位置するスリット２８が異物で目詰まりする。そのときには、図６に示すように、異物で目詰まりしていないスリット２８を通り抜けた用水が、通水路Ｆを通って流出部１８に導出される。
【００４４】
このように、この実施例によれば、給水バルブ１０６から出水管１１４に供給される用水から異物を除去することができる。また、フィルタ２２が異物で目詰まりしても、給水バルブ１０６から出水管１１４に供給する用水量が低下しない。
【００４５】
さらに、この実施例によれば、フィルタ２２の第２側壁２４は、ハウジング１２の第１側壁１４と同軸方向に延びる円筒状に形成される。ハウジング１２の内側面とフィルタ２２の外側面とが一定の間隔を隔てていることによって、通水路Ｆを通る用水は、スリット２８が異物で目詰まりしているフィルタ２２に妨げられることなく流出部１８に到達することができる。したがって、通水路Ｆを通る用水を円滑に流出部１８に導出することができる。また、フィルタ２２の第２側壁２４が筒状に形成されることによって、用水は、フィルタ２２における流出部１８側のスリット２８が異物で目詰まりしても、当該フィルタにおいて流出部１８の反対側に位置している可及的目詰まりしにくいスリット２８からフィルタ２２を通り抜けることができる。
【００４６】
また、この実施例によれば、ハウジング１２に開口部２０が設けられる。このため、フィルタ２２の内側に留まっている異物を開口部２０からハウジング１２の外部に排出することができる。さらに、フィルタ２２のスリット２８は、流入部１６から開口部２０に向かう方向に延び、その開口部２０側端が開放されている。このため、開口部２０から異物を排出する際に、スリット２８に妨げられることなく容易に排出することができる。
【００４７】
さらにまた、この実施例によれば、開口部２０は、弁座１１６に形成されており、弁体１２６によって開閉自在である。このため、開口部２０を開放することによって、流入部１６からハウジング１２内に流入した用水を、流出部１８のみならず、開口部２０にも導出することができる。ここで、図７に示すように、流入部１６から流入した用水は、フィルタ２２の内側を通り抜けて、開口部２０に導出される。したがって、開口部２０に導出される用水によって、フィルタ２２の内側に留まっている異物をハウジング１２の外部に掃流することができる。
【００４８】
なお、上述の実施例では、フィルタ２２の第２側壁２４の下端部には、その全周に亘って径方向の外側に突出する係止部２６が形成されたが、これに限定される必要はなく、たとえば、図８に示すように、第２側壁２４の周方向に間隔を隔てて並ぶ複数の係止部２６を形成してもよい。また、たとえば、図９および図１０に示すように、本体１０８の下端開口１０８ａと略等しい外径を有するリング状の固定部材３０を本体１０８ａの下端開口１０８ａと取水管１１０との間に挟み込み、当該固定部材３０とフィルタ２２の第２側壁２４の下端部に形成した連結孔３２とを針金，ゴムまたは紐等のような線材３４で結合してもよい。この場合には、固定部材３０が、ハウジング１２内でのフィルタ２２の位置を固定し、さらに異物が混入している用水がフィルタ２２を通過せずに通水路Ｆに浸入することを妨げる。
【００４９】
さらに、上述の実施例では、フィルタ２２のスリット２８の開口部２０側の端部が開放されていたが、これに限定される必要はない。たとえば、図１１に示すように、第２側壁２４の両端部を除く部分に、当該第２側壁２４の軸方向に延びるスリット２８を形成してもよい。この場合には、フィルタ２２の形状が安定するため、後述するように、フィルタ２２の第２側壁２４の形状を変形させる際に好適である。
【００５０】
さらにまた、上述の実施例では、フィルタ２２の第２側壁２４には、用水中に混入している異物を捕捉するかつ当該異物が除去された水を流出部１８に導出するためのスリット２８が形成されたが、これに限定される必要はない。
【００５１】
たとえば、図１２および図１３に示す変形実施例では、フィルタ２２は、環状部３６と棒状部３８と球状部４２とによって構成される。環状部３６は、本体１０８の下端開口１０８ａと取水管１１０の上端との間に挟みこまれて、ハウジング１２内でのフィルタ２２の位置を固定するための部位であり、上述した固定リング３０とほぼ同径のＯ（オー）リング状に形成される。環状部３６の内側には、その全周に亘って、周方向に間隔を隔てて並ぶ複数の棒状部３８が形成される。棒状部３８は、環状部３６から上方向に突出する円柱状に形成され、棒状部３８と隣接する他の棒状部３８との間には、空間４０が形成される。また、棒状部３８の先端には、球状部４２が形成される。球状部４２は、棒状部３８よりも少し大きい径を有する球状に形成される。棒状部３８と球状部４２とは、フィルタ２２における第２側壁２４として機能し、用水中に混入している異物を捕捉する。また、異物が除去された水は、空間４０からフィルタ２２を通り抜けて、流出部１８に導出される。
【００５２】
また、たとえば、図１４に示す変形実施例では、フィルタ２２の第２側壁２４は、厚み方向に貫通する穿孔４４が全面に加工されたステンレス・アルミ・合金・チタン等の板材、所謂パンチングメタルを円筒状に曲げ加工することによって形成される。図１５に示すように、このようなフィルタ２２は、第２側壁２４の下端部に位置する適宜の穿孔４４と上述した固定部材３０とを線材３４で結合することによって、ハウジング１２の内部に固定される。
【００５３】
さらに、たとえば、図１６に示す変形実施例では、フィルタ２２の第２側壁２４は、たとえば針金などの細い金属線条を格子状や網状に結びつけ編み込むことによって形成される。このため、第２側壁２４には複数の間隙４６が形成されている。図１７に示すように、このようなフィルタ２２は、第２側壁２４の下端部に位置する適宜の間隙４６と上述した固定部材３０とを線材３４で結合することによって、ハウジング１２の内部に固定される。
【００５４】
なお、上述の各実施例ではいずれも、異物除去装置１０は、地下灌漑用給水施設１００の給水バルブ１０６に適用されたが、これに限定される必要はなく、農業用水路１０２から取水した用水を圃場に供給する給水施設であれば、適宜の箇所に適用することができる。たとえば、図示は省略するが、農業用水路１０２から取水管１１４への分岐箇所に異物除去装置１０を設けることもできる。この場合には、その分岐箇所において、異物が混入している用水が流入する部位がハウジング１２として機能する。
【００５５】
また、上述の各実施例ではいずれも、弁体１２６を上方向に移動させて開口部２０を開放し、当該開口部２０からフィルタ２２の内側に留まっている異物を排出したが、これに限定される必要はない。たとえば、図示は省略するが、フィルタ２２の内側に留まっている異物を排出することが可能な位置に、別途、開閉可能な点検口を形成し、当該点検口から手作業によってフィルタ２２の内側に留まっている異物を除去してもよい。
【００５６】
さらに、上述の各実施例ではいずれも、フィルタ２２は、ステンレスなどの金属によって円筒状に形成されたが、これに限定される必要はない。
【００５７】
たとえば、フィルタ２２をゴムなどの弾性体によって円筒状に形成してもよい。この場合には、図１８に示すように、フィルタ２２の形状を適宜変形させることができるため、たとえば縮めたフィルタ２２を開口部２０からハウジング１２の内部にいれて配置し、当該当該ハウジング１２の内部で復元させることもできる。
【００５８】
また、たとえば、フィルタ２２に易縮径用スリットを形成して、第２側壁２４を軸方向の断面が略Ｃ字の筒状に形成してもよい。ここで、易縮径用スリットは、フィルタ２２の第２側壁２４を容易に縮径するための切込みであり、その形状や幅は特に限定されるものではない。したがって、幅のないもの、すなわち、切込みの両側端が接触したものであってもよい。この場合には、図１９に示すように、フィルタ２２の第２側壁２４を拡縮径させることができるため、たとえば、縮径させたフィルタ２２を開口部２０からハウジング１２の内部に配置し、当該当該ハウジング１２の内部で拡径させることもできる。
【００５９】
ただし、図１８および図１９では、図１１の実施例におけるフィルタ２２によって図示したが、他の実施例におけるフィルタ２２でも同様である。
【００６０】
さらに、たとえば、図２０に示すように、フィルタ２２の第２側壁２４を半円筒状に形成することもできる。フィルタ２２における第２側壁２４の周方向の両端には、突出部４８が一体的に形成される。突出部４８は、用水がフィルタ２２を通過せずに第１側壁１４と第２側壁２４との隙間から通水路Ｆに浸入することを防ぐ部位であり、当該第２側壁２４の周方向の両端から径方向の外側に突出する。この場合には、図２１に示すように、流出部１６側に配置されたスリット２８が異物で目詰まりしていても、そのスリット２８に隣接している異物で目詰まりしていないスリット２８を通り抜けた用水が、通水路Ｆを通って流出部１８に導出される。同様に、図示は省略するが、周方向の長さが円筒の１／４や３／４である第２側壁２４を形成することもできる。
【００６１】
ただし、図２０および図２１では、図４の実施例におけるフィルタ２２によって図示したが、他の実施例におけるフィルタ２２でも同様である。
【００６２】
さらにまた、上述の各実施例ではいずれも、フィルタ２２の第２側壁２４の下端部に設けられた係止部２６や、第２側壁２４の下端部に連結された固定部材３０が給水バルブ１０６の本体１０８の下端開口１０８ａと取水管１１０との間に挟み込まれることによって、ハウジング１２内でのフィルタ２２の位置が固定されたが、これに限定される必要はない。
【００６３】
たとえば、図２２−図２５に示す変形実施例では、フィルタ２２は、ポリエチレンなどの合成樹脂からなる第２側壁２４を含む。第２側壁２４は、第１半円筒部５０と第２半円筒部５２とからなり、ハウジング１２の第１側壁１４と同軸方向に延びる円筒状に形成される。
【００６４】
ただし、ここでいう「半円筒」とは、周方向の長さが円筒の１／２と一致するか否かを定義するものではなく、あくまで第１半円筒部５０と第２半円筒部５２とによって円筒形状の第２側壁２４が形成されるということを意味する。
【００６５】
図２２および図２３に示すように、第１半円筒部５０は、略半円筒状に形成され、その外径は、たとえばハウジング１２の第１側壁１４の内径よりも小さく設定される。
【００６６】
第１半円筒部５０には、周方向に間隔を隔てて並ぶ複数のスリット２８が形成される。スリット２８は、第２側壁２４の軸方向に延びる短冊状に形成され、その上端が開放されている。
【００６７】
また、第１半円筒部５０には、径方向の外側に突出する当たり部５４が形成される。当たり部５４は、ハウジング１２の第１側壁１４に当接する部位であり、その外縁の径が、ハウジング１２の内部に配置可能な程度に、ハウジング１２の第１側壁１４の内径とほぼ等しく設定される。また、当たり部５４は、流出部１８（第１通水孔１１２）を囲繞するような形状を有しており、これによって、用水がフィルタ２２を通過せずに第１側壁１４と第２側壁２４との隙間から通水路Ｆに浸入することを防ぐ。たとえば、当たり部５４は、第１半円筒部５０の下端部において周方向に延びるとともに、第１半円筒部５０の周方向の両端部において上下方向に延び、平面視で略コ字状に形成される。
【００６８】
さらに、第１半円筒部５０には、径方向の外側に突出する突起部５６が形成される。突起部５６は、矩形の板状に形成され、ハウジング１２の流出部１８（第１通水孔１１２）に挿入することができるように、当たり部５４の外縁よりも外側に突出している。たとえば、突起部５６は、第１半円筒部５０の周方向の略中央かつ、当たり部５４の上部に配置される。
【００６９】
第２半円筒部５２は、第１半円筒部５０よりも大きい径を有する、かつやや大きい中心角を有する略半円筒状に形成される。このため、詳細は後述するが、ハウジング１２の内部にフィルタ２２を配置して、当たり部５４をハウジング１２の第１側壁１４に当接させると、第２半円筒部５２の一部分がハウジング１２の第１側壁１４に押し込められて撓むこととなる。たとえば、第２半円筒部５２の内面には、上下方向に延びる、かつ周方向に所定の間隔で並ぶ複数のリブ５８が形成されており、このリブ５８よって、第２半円筒部５２の剛性が高められる。
【００７０】
また、第１半円筒部５０と第２半円筒部５２とは、一体的かつ内面平滑で連続的に設けられており、これによって、当たり部５４と第２半円筒部５２との境界部分には、径方向の内側にへこんだ窪み部６０が形成される。
【００７１】
このようなフィルタ２２をハウジング１２の内部に配置すると、第１半円筒部５０に設けられた当たり部５４がハウジング１２の第１側壁１４に当接するとともに、第２半円筒部５２がハウジング１２の第１側壁１４に当接する。すると、当たり部５４の反力を受けた第２半円筒部５２が、ハウジング１２の第１側壁１４に押し込められて、撓むこととなる。そして、図２４および図２５に示すように、その第２半円筒部５２の撓みを窪み部６０に収めることによって、撓んでいる一部分を除いた第２半円筒部５２の残りの部分がハウジング１２の第１側壁１４に密着する。
【００７２】
この実施例によれば、フィルタ２２自身の張力によって、ハウジング１２内にフィルタ２２を固定することができる。したがって、たとえばフィルタ２２の成形時にその外径に誤差などが生じた場合であっても、ハウジング１２の内部にフィルタ２２を配置することができるとともに、ハウジング１２内でのフィルタ２２を固定することができる。
【００７３】
さらに、この実施例では、図２５に示すように、フィルタ２２の第１半円筒部５０に設けられた突起部５６がハウジング１２の流出部１８（第１通水孔１１２）に挿入され、これによって、フィルタ２２がハウジング１２に係止される。したがって、たとえハウジング１２の流入部１６（本体１０８の下端開口１０８ａ）の受口形状の部分まで取水管１１０が差し込まれていなくても、フィルタ２２が落下することなく、さらに流入部１６からハウジング１２内に流入した用水によってフィルタ２２が周方向に回転してしまうこともない。
【００７４】
なお、この実施例では、第１半円筒部５０に突起部５６が設けられたが、これに限定される必要はない。図２６および図２７に示すように、フィルタ２２の第１半円筒部５２に突起部５６を設けなくてもよい。この場合であっても、図２８に示すように、ハウジング１２の流入部１６に接続されている取水管１１０の上端にフィルタ２２の第２側壁２４を載置することによって、フィルタ２２の落下を防止することができる。
【００７５】
また、この実施例では、第１半円筒部５０の外径がハウジング１２の第１側壁１４の内径よりも小さく設定されたが、これに限定される必要はない。フィルタ２２がハウジング１２内に配置可能であれば、第１半円筒部５０の外径は、第１側壁１４の内径と等しく設定されてもよく、さらに第１側壁１４の内径よりも大きく設定されてもよい。図示は省略するが、たとえば、第１半円筒部５０の外径をハウジング１２の第１側壁１４の内径より大きく設定する場合には、フィルタ２２の第２側壁２４を、１８０°よりも小さい中心角を有する第１半円筒部５０と、１８０°よりも大きい中心角を有する第２半円筒部５２とによって形成すると好適である。
【００７６】
さらに、この実施例では、当たり部５４と第２半円筒部５２との境界部分に窪み部６０を形成し、この窪み部６０に第２半円筒部５２の撓んだ一部分を収めたが、これに限定される必要はない。たとえば、図示は省略するが、第１側壁１４に押し込められた第２半円筒部５２をそのまま内側に撓ませることによって、その撓んでいる一部分を除いた第２半円筒部５２の残りの部分をハウジング１２の第１側壁１４に密着させてもよい。この場合であっても、フィルタ２２自身の張力によって、ハウジング１２内にフィルタ２２を固定することができる。
【００７７】
なお、上述した径や高さ等の具体的数値は、いずれも単なる一例であり、必要に応じて適宜変更可能である。
【符号の説明】
【００７８】
１０  …農業用水路用異物除去装置
１２  …ハウジング
１４，２４  …側壁
１６  …流入部
１８  …流出部
２０  …開口部
２２  …フィルタ
２８  …スリット
１００  …地下灌漑用給水施設
１０２  …農業用水路
１０６  …給水バルブ
Ｆ  …通水路
【図１】
0005378019.tif 000002
【図２】
0005378019.tif 000003
【図３】
0005378019.tif 000004
【図４】
0005378019.tif 000005
【図５】
0005378019.tif 000006
【図６】
0005378019.tif 000007
【図７】
0005378019.tif 000008
【図８】
0005378019.tif 000009
【図９】
0005378019.tif 000010
【図１０】
0005378019.tif 000011
【図１１】
0005378019.tif 000012
【図１２】
0005378019.tif 000013
【図１３】
0005378019.tif 000014
【図１４】
0005378019.tif 000015
【図１５】
0005378019.tif 000016
【図１６】
0005378019.tif 000017
【図１７】
0005378019.tif 000018
【図１８】
0005378019.tif 000019
【図１９】
0005378019.tif 000020
【図２０】
0005378019.tif 000021
【図２１】
0005378019.tif 000022
【図２２】
0005378019.tif 000023
【図２３】
0005378019.tif 000024
【図２４】
0005378019.tif 000025
【図２５】
0005378019.tif 000026
【図２６】
0005378019.tif 000027
【図２７】
0005378019.tif 000028
【図２８】
0005378019.tif 000029